(57)【要約】【課題】本発明は大きさを変えられる自動車用収納装置を開示した。【解決手段】装置主体及び前記装置主体の外でスライドできるように設置されているキャリッジ枠体を含み、前記装置主体の中には上方に開口した貯蔵チャンバが設置されており、前記貯蔵チャンバの底壁の中には上方に開口した切換チャンバが設置されており、前記切換チャンバの左側頂壁の中にはスプラインスリーブが回転できるように設置されている；本発明設備は貯蔵チャンバの大きさを変えることを実現し、それと同時に設備に切符やチケットを収納する装置が設置されているので、切符やチケットの収納に便利を与え、設備は密封ドアを自動的に開けることと閉めることができ、操作がより便利になる。【選択図】図１
2020169011.tif 000002
【特許請求の範囲】
【請求項１】
装置主体及び前記装置主体の外でスライドできるように設置されているキャリッジ枠体を含み、前記装置主体の中には上方に開口した貯蔵チャンバが設置されており、前記貯蔵チャンバの底壁の中には上方に開口した切換チャンバが設置されており、前記切換チャンバの左側頂壁の中にはスプラインスリーブが回転できるように設置されており、前記スプラインスリーブの中には上方に開口したスプライン穴が設置されており、前記スプライン穴の中にはスプライン軸がスプラインにより係合連結されており、前記切換チャンバの中にあるスプラインスリーブの外面には第一ギヤが固定的に設置されており、前記切換チャンバの右側頂壁の中にはねじスリーブが回転できるように設置されており、前記ねじスリーブの中には第一ねじ穴が設置されており、前記第一ねじ穴の中には前記キャリッジ枠体と固定的に連結されている第一ねじロッドがねじ山により係合連結されており、前記切換チャンバの中にある前記ねじスリーブの外面には第二ギヤが固定的に設置されており、前記切換チャンバの底壁の中にはスライドチャンバが設置されており、前記スライドチャンバの中には切替装置が設置されており、前記スライドチャンバの下方には外部に連通する連通チャンバが設置されており、前記連通チャンバの左右端壁の中には開口が対向であるガイドスライド溝が設置されており、前記ガイドスライド溝の底壁には第一ラックが固定的に設置されており、前記連通チャンバの中には引き出しがスライドできるように設置されており、前記引き出しの頂壁の中には上方に開口した収納チャンバが設置されており、前記収納チャンバの中には収納装置が設置されており、前記切替装置と前記収納装置とが互いに協働して使用され、設備が便利に貯蔵又は収納することを実現し、貯蔵の大きさを変えられることを特徴とする大きさを変えられる自動車用収納装置。
【請求項２】
前記キャリッジ枠体の頂壁の中には上下に貫通している開き溝が設置されており、前記開き溝の左側端壁の中には右方に開口した伝動チャンバが設置されており、前記伝動チャンバの中には第一回転軸が回転できるように設置されており、前記第一回転軸の外面にはウォームホイール及び密封ドアが固定的に設置されており、前記伝動チャンバの中には前記ウォームホイールと噛み合っているウォームが回転できるように設置されており、前記ウォームが前記スプライン軸と固定的に連結されており、前記ウォームが前記ウォームホイールを回転連動させ、それにより前記密封ドアの開閉を連動させることを特徴する請求項１に記載の大きさを変えられる自動車用収納装置。
【請求項３】
前記切替装置は、前記スライドチャンバの左側端壁の中にあり、且つ前記連通チャンバに連通するロックチャンバを含み、前記スライドチャンバの中にはスライドブロックがスライドできるように設置されており、前記スライドブロックの頂壁の中には第一モータが設置されており、前記第一モータの出力軸の上へ伸びている末端には前記第一ギヤと噛み合う第三ギヤが固定的に設置されており、前記スライドブロックの中には左右に貫通している第二ねじ穴が設置されており、前記第二ねじ穴の中には第二ねじロッドがねじ山により係合連結されており、前記第二ねじロッドの左側末端が前記スライドチャンバの左側端壁の中に固定的に設置されている第二モータと動力が伝達できるように連結されており、前記第二モータの出力軸の左へ伸びている末端には偏心輪が固定的に設置されており、前記第二モータが回転して前記スライドブロックを移動連動させ、それにより動力の切換が実現されることを特徴する請求項１に記載の大きさを変えられる自動車用収納装置。
【請求項４】
前記収納装置は前記連通チャンバの左右端壁の中に回転できるように設置されている第二回転軸を含み、前記第二回転軸の前後両側末端が前記連通チャンバの端壁の中に設置されている捻りばねと弾性的に連結されており、前記第二回転軸の外面にはリールが固定的に設置されており、前記リールの外面には前記収納チャンバの左側端壁と固定的に連結されている垂れ布が巻き付いて設置されており、前記収納チャンバの中にはプレス板がスライドできるように設置されており、前記プレス板と前記収納チャンバの底壁との間には押圧ばねが弾性的に設置されており、前記収納チャンバの底壁の中にはカムチャンバが設置されており、前記カムチャンバの中にはスライド板がスライドできるように設置されており、前記スライド板の左側端壁の中には凹溝が設置されており、前記カムチャンバの頂壁の中にはスライド穴が設置されており、前記スライド穴の中には前記スライド板と固定的に連結されているスライドロッドがスライドできるように設置されており、前記カムチャンバの中には前後へ伸びている第三回転軸が回転できるように設置されており、前記カムチャンバの中の前記第三回転軸の外面にはカムが固定的に設置されており、前記第三回転軸の前後両側末端が前記ガイドスライド溝の中に插入されており、且つ前記第三回転軸の前後両側末端には前記第一ラックと噛み合っている第四ギヤが固定的に設置されており、前記引き出しの右側端壁には取っ手が固定的に設置されており、前記カムチャンバの左側端壁の中には第一スライド溝が設置されており、前記第一スライド溝の中には第二ラックがスライドできるように設置されており、前記第二ラックと前記第一スライド溝の端壁との間には復帰装置が弾性的に設置されており、前記引き出しの左側端壁の中には左方に開口した第二スライド溝が設置されており、前記第二スライド溝の中には第三ラックがスライドできるように設置されており、前記第二スライド溝と前記第一スライド溝との間にはギヤチャンバが連通して設置されており、前記ギヤチャンバの中には前記第二ラック及び前記第三ラックと噛み合っている第五ギヤが回転できるように設置されており、前記捻りばねが前記リールを連動させて前記垂れ布を巻く付け、この時に切符やチケットを前記プレス板に置くことを特徴する請求項１に記載の大きさを変えられる自動車用収納装置。
【発明の詳細な説明】
【技術分野】
【０００１】
本発明は自動車収納分野に関わり、具体的には大きさを変えられる自動車用収納装置である。
【背景技術】
【０００２】
自動車の使用がますます頻繁になるにつれて、自動車内に大量の雑物が置かれ、伝統的な収納箱は大きさが固定されているので大きさを調節できなく、そのため自動車内の貯蔵空間が制限され、一方、普通の収納装置は切符やチケットを収納する機能を持っていないので、切符やチケットがバラバラに置かれ、重要な切符やチケットの保管に不便であり、したがって、上記の問題を解決するため、大きさを変えられる自動用収納装置が強く求められている。
【先行技術文献】
【特許文献】
【０００３】
【特許文献１】中国特許出願公開第１０３３１８０９３号明細書
【発明の概要】
【発明が解決しようとする課題】
【０００４】
本発明は大きさを変えられる自動車用収納装置を提供し、既存技術にある上記の欠点を解消し、設備の実用性を高めることを目的とする。
【課題を解決するための手段】
【０００５】
本発明の大きさを変えられる自動車用収納装置は、装置主体及び前記装置主体の外でスライドできるように設置されているキャリッジ枠体を含み、前記装置主体の中には上方に開口した貯蔵チャンバが設置されており、前記貯蔵チャンバの底壁の中には上方に開口した切換チャンバが設置されており、前記切換チャンバの左側頂壁の中にはスプラインスリーブが回転できるように設置されており、前記スプラインスリーブの中には上方に開口したスプライン穴が設置されており、前記スプライン穴の中にはスプライン軸がスプラインにより係合連結されており、前記切換チャンバの中にあるスプラインスリーブの外面には第一ギヤが固定的に設置されており、前記切換チャンバの右側頂壁の中にはねじスリーブが回転できるように設置されており、前記ねじスリーブの中には第一ねじ穴が設置されており、前記第一ねじ穴の中には前記キャリッジ枠体と固定的に連結されている第一ねじロッドがねじ山により係合連結されており、前記切換チャンバの中にある前記ねじスリーブの外面には第二ギヤが固定的に設置されており、前記切換チャンバの底壁の中にはスライドチャンバが設置されており、前記スライドチャンバの中には切替装置が設置されており、前記スライドチャンバの下方には外部に連通する連通チャンバが設置されており、前記連通チャンバの左右端壁の中には開口が対向であるガイドスライド溝が設置されており、前記ガイドスライド溝の底壁には第一ラックが固定的に設置されており、前記連通チャンバの中には引き出しがスライドできるように設置されており、前記引き出しの頂壁の中には上方に開口した収納チャンバが設置されており、前記収納チャンバの中には収納装置が設置されており、前記切替装置と前記収納装置とが互いに協働して使用され、設備が便利に貯蔵又は収納することを実現し、貯蔵の大きさを変えられる。
【０００６】
好ましくは、前記キャリッジ枠体の頂壁の中には上下に貫通している開き溝が設置されており、前記開き溝の左側端壁の中には右方に開口した伝動チャンバが設置されており、前記伝動チャンバの中には第一回転軸が回転できるように設置されており、前記第一回転軸の外面にはウォームホイール及び密封ドアが固定的に設置されており、前記伝動チャンバの中には前記ウォームホイールと噛み合っているウォームが回転できるように設置されており、前記ウォームが前記スプライン軸と固定的に連結されており、前記ウォームが前記ウォームホイールを回転連動させ、それにより前記密封ドアの開閉を連動させる。好ましくは、前記キャリッジ枠体の頂壁の中には上下に貫通している開き溝が設置されており、前記開き溝の左側端壁の中には右方に開口した伝動チャンバが設置されており、前記伝動チャンバの中には第一回転軸が回転できるように設置されており、前記第一回転軸の外面にはウォームホイール及び密封ドアが固定的に設置されており、前記伝動チャンバの中には前記ウォームホイールと噛み合っているウォームが回転できるように設置されており、前記ウォームが前記スプライン軸と固定的に連結されており、前記ウォームが前記ウォームホイールを回転連動させ、それにより前記密封ドアの開閉を連動させる。
【０００７】
好ましくは、前記切替装置は、前記スライドチャンバの左側端壁の中にあり、且つ前記連通チャンバに連通するロックチャンバを含み、前記スライドチャンバの中にはスライドブロックがスライドできるように設置されており、前記スライドブロックの頂壁の中には第一モータが設置されており、前記第一モータの出力軸の上へ伸びている末端には前記第一ギヤと噛み合う第三ギヤが固定的に設置されており、前記スライドブロックの中には左右に貫通している第二ねじ穴が設置されており、前記第二ねじ穴の中には第二ねじロッドがねじ山により係合連結されており、前記第二ねじロッドの左側末端が前記スライドチャンバの左側端壁の中に固定的に設置されている第二モータと動力が伝達できるように連結されており、前記第二モータの出力軸の左へ伸びている末端には偏心輪が固定的に設置されており、前記第二モータが回転して前記スライドブロックを移動連動させ、それにより動力の切換が実現される。
【０００８】
好ましくは、前記収納装置は前記連通チャンバの左右端壁の中に回転できるように設置されている第二回転軸を含み、前記第二回転軸の前後両側末端が前記連通チャンバの端壁の中に設置されている捻りばねと弾性的に連結されており、前記第二回転軸の外面にはリールが固定的に設置されており、前記リールの外面には前記収納チャンバの左側端壁と固定的に連結されている垂れ布が巻き付いて設置されており、前記収納チャンバの中にはプレス板がスライドできるように設置されており、前記プレス板と前記収納チャンバの底壁との間には押圧ばねが弾性的に設置されており、前記収納チャンバの底壁の中にはカムチャンバが設置されており、前記カムチャンバの中にはスライド板がスライドできるように設置されており、前記スライド板の左側端壁の中には凹溝が設置されており、前記カムチャンバの頂壁の中にはスライド穴が設置されており、前記スライド穴の中には前記スライド板と固定的に連結されているスライドロッドがスライドできるように設置されており、前記カムチャンバの中には前後へ伸びている第三回転軸が回転できるように設置されており、前記カムチャンバの中の前記第三回転軸の外面にはカムが固定的に設置されており、前記第三回転軸の前後両側末端が前記ガイドスライド溝の中に插入されており、且つ前記第三回転軸の前後両側末端には前記第一ラックと噛み合っている第四ギヤが固定的に設置されており、前記引き出しの右側端壁には取っ手が固定的に設置されており、前記カムチャンバの左側端壁の中には第一スライド溝が設置されており、前記第一スライド溝の中には第二ラックがスライドできるように設置されており、前記第二ラックと前記第一スライド溝の端壁との間には復帰装置が弾性的に設置されており、前記引き出しの左側端壁の中には左方に開口した第二スライド溝が設置されており、前記第二スライド溝の中には第三ラックがスライドできるように設置されており、前記第二スライド溝と前記第一スライド溝との間にはギヤチャンバが連通して設置されており、前記ギヤチャンバの中には前記第二ラック及び前記第三ラックと噛み合っている第五ギヤが回転できるように設置されており、前記捻りばねが前記リールを連動させて前記垂れ布を巻く付け、この時に切符やチケットを前記プレス板に置く。
【発明の効果】
【０００９】
本発明の有益な効果は：本発明設備は貯蔵チャンバの大きさを変えることを実現し、それと同時に設備に切符やチケットを収納する装置が設置されているので、切符やチケットの収納に便利を与え、設備は密封ドアを自動的に開けることと閉めることができ、操作がより便利になる。
【図面の簡単な説明】
【００１０】
発明の実施例または既存技術の中の技術方案をより詳しく説明できるため、下記には実施例または既存技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる。
【００１１】
【図１】図１は本発明の大きさを変えられる自動車用収納装置の整体構造概略図である；
【図２】図２は図１のＡ−Ａの構造概略図である。
【図３】図３は図１の中のＢの拡大構成模式図である；
【図４】図４は図１の中のＣの拡大構成模式図である；
【図５】図５は図１の中のＤの拡大構成模式図である。
【発明を実施するための形態】
【００１２】
本説明書に開示したすべての特徴、または開示したすべての方法または過程中のステップは、互いに排斥する特徴と／またはステップ以外に、いずれもあらゆる方式で組み合わせることができる。
【００１３】
下記に図１−５を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１４】
図１−５に示すように、本発明の大きさを変えられる自動車用収納装置は、装置主体１０及び前記装置主体１０の外でスライドできるように設置されているキャリッジ枠体４３を含み、前記装置主体１０の中には上方に開口した貯蔵チャンバ４１が設置されており、前記貯蔵チャンバ４１の底壁の中には上方に開口した切換チャンバ１１が設置されており、前記切換チャンバ１１の左側頂壁の中にはスプラインスリーブ４９が回転できるように設置されており、前記スプラインスリーブ４９の中には上方に開口したスプライン穴５０が設置されており、前記スプライン穴５０の中にはスプライン軸５１がスプラインにより係合連結されており、前記切換チャンバ１１の中にあるスプラインスリーブ４９の外面には第一ギヤ１２が固定的に設置されており、前記切換チャンバ１１の右側頂壁の中にはねじスリーブ３８が回転できるように設置されており、前記ねじスリーブ３８の中には第一ねじ穴３９が設置されており、前記第一ねじ穴３９の中には前記キャリッジ枠体４３と固定的に連結されている第一ねじロッド４０がねじ山により係合連結されており、前記切換チャンバ１１の中にある前記ねじスリーブ３８の外面には第二ギヤ３５が固定的に設置されており、前記切換チャンバ１１の底壁の中にはスライドチャンバ３４が設置されており、前記スライドチャンバ３４の中には切替装置２００が設置されており、前記スライドチャンバ３４の下方には外部に連通する連通チャンバ３３が設置されており、前記連通チャンバ３３の左右端壁の中には開口が対向であるガイドスライド溝５３が設置されており、前記ガイドスライド溝５３の底壁には第一ラック５５が固定的に設置されており、前記連通チャンバ３３の中には引き出し２７がスライドできるように設置されており、前記引き出し２７の頂壁の中には上方に開口した収納チャンバ３２が設置されており、前記収納チャンバ３２の中には収納装置３００が設置されており、前記切替装置２００と前記収納装置３００とが互いに協働して使用され、設備が便利に貯蔵又は収納することを実現し、貯蔵の大きさを変えられる。
【００１５】
有益なように、前記キャリッジ枠体４３の頂壁の中には上下に貫通している開き溝４２が設置されており、前記開き溝４２の左側端壁の中には右方に開口した伝動チャンバ４５が設置されており、前記伝動チャンバ４５の中には第一回転軸４７が回転できるように設置されており、前記第一回転軸４７の外面にはウォームホイール４６及び密封ドア４８が固定的に設置されており、前記伝動チャンバ４５の中には前記ウォームホイール４６と噛み合っているウォーム４４が回転できるように設置されており、前記ウォーム４４が前記スプライン軸５１と固定的に連結されており、前記ウォーム４４が前記ウォームホイール４６を回転連動させ、それにより前記密封ドア４８の開閉を連動させる。
【００１６】
有益なように、前記切替装置２００は、前記スライドチャンバ３４の左側端壁の中にあり、且つ前記連通チャンバ３３に連通するロックチャンバ１３を含み、前記スライドチャンバ３４の中にはスライドブロック３６がスライドできるように設置されており、前記スライドブロック３６の頂壁の中には第一モータ３７が設置されており、前記第一モータ３７の出力軸の上へ伸びている末端には前記第一ギヤ１２と噛み合う第三ギヤ５２が固定的に設置されており、前記スライドブロック３６の中には左右に貫通している第二ねじ穴１６が設置されており、前記第二ねじ穴１６の中には第二ねじロッド１７がねじ山により係合連結されており、前記第二ねじロッド１７の左側末端が前記スライドチャンバ３４の左側端壁の中に固定的に設置されている第二モータ１５と動力が伝達できるように連結されており、前記第二モータ１５の出力軸の左へ伸びている末端には偏心輪１４が固定的に設置されており、前記第二モータ１５が回転して前記スライドブロック３６を移動連動させ、それにより動力の切換が実現される。
【００１７】
有益なように、前記収納装置３００は前記連通チャンバ３３の左右端壁の中に回転できるように設置されている第二回転軸３１を含み、前記第二回転軸３１の前後両側末端が前記連通チャンバ３３の端壁の中に設置されている捻りばね６４と弾性的に連結されており、前記第二回転軸３１の外面にはリール３０が固定的に設置されており、前記リール３０の外面には前記収納チャンバ３２の左側端壁と固定的に連結されている垂れ布１８が巻き付いて設置されており、前記収納チャンバ３２の中にはプレス板２６がスライドできるように設置されており、前記プレス板２６と前記収納チャンバ３２の底壁との間には押圧ばね２８が弾性的に設置されており、前記収納チャンバ３２の底壁の中にはカムチャンバ５７が設置されており、前記カムチャンバ５７の中にはスライド板５９がスライドできるように設置されており、前記スライド板５９の左側端壁の中には凹溝６２が設置されており、前記カムチャンバ５７の頂壁の中にはスライド穴６１が設置されており、前記スライド穴６１の中には前記スライド板５９と固定的に連結されているスライドロッド６０がスライドできるように設置されており、前記カムチャンバ５７の中には前後へ伸びている第三回転軸５６が回転できるように設置されており、前記カムチャンバ５７の中の前記第三回転軸５６の外面にはカム５８が固定的に設置されており、前記第三回転軸５６の前後両側末端が前記ガイドスライド溝５３の中に插入されており、且つ前記第三回転軸５６の前後両側末端には前記第一ラック５５と噛み合っている第四ギヤ５４が固定的に設置されており、前記引き出し２７の右側端壁には取っ手２９が固定的に設置されており、前記カムチャンバ５７の左側端壁の中には第一スライド溝２３が設置されており、前記第一スライド溝２３の中には第二ラック２５がスライドできるように設置されており、前記第二ラック２５と前記第一スライド溝２３の端壁との間には復帰装置２４が弾性的に設置されており、前記引き出し２７の左側端壁の中には左方に開口した第二スライド溝２０が設置されており、前記第二スライド溝２０の中には第三ラック１９がスライドできるように設置されており、前記第二スライド溝２０と前記第一スライド溝２３との間にはギヤチャンバ２１が連通して設置されており、前記ギヤチャンバ２１の中には前記第二ラック２５及び前記第三ラック１９と噛み合っている第五ギヤ２２が回転できるように設置されており、前記捻りばね６４が前記リール３０を連動させて前記垂れ布１８を巻く付け、この時に切符やチケットを前記プレス板２６に置く。
【００１８】
下記に、出願人は附図１−５及び上記の大きさを変えられる自動車用収納装置の具体的な構成を参考して本装置の使用方法を詳しく紹介する：
【００１９】
使用する時に第一モータ３７を始動して回転させ、それにより第三ギヤ５２を回転連動させ、第一ギヤ１２を回転連動させ、それによりスプラインスリーブ４９と、スプライン軸５１と、ウォーム４４とウォームホイール４６とを順に回転連動させ、それにより密封ドア４８を回転連動させて開け、切符やチケットを収納する時、第二モータ１５を始動して回転させ、それにより偏心輪１４を連動させて半周回転させ、この時に取っ手２９を右へ引き動かし、それにより引き出し２７を連動させて右へ移動させ、それにより第四ギヤ５４を回転連動させ、それによりカム５８を回転連動させ、それによりスライド板５９を連動させて下へ移動させ、プレス板２６を連動させて下へ移動させて押圧ばね２８を圧縮し、凹溝６２の開口が第一スライド溝２３の開口と位置を合わせた時、第二ギヤ２５が凹溝６２の中に弾き込まれてスライド板５９を引っ掛からせ、それと同時に捻りばね６４がリール３０を連動させて垂れ布１８を巻き、この時に切符やチケットをプレス板２６に置き、引き出し２７を内側に推し動かし、第三ラック１９が連通チャンバ３３の左側端壁と当接した時、第二ラック１９が左へ移動して凹溝６２から出て、スライド板５９とプレス板２６とが押圧ばね２８の作用の下で上へ移動して切符やチケットを垂れ布１８の下方に挟み、この時に第二モータ１５を始動して偏心輪１４を回転連動させて引き出し２７をロックし、第二モータ１５が回転して偏心輪１４を回転連動させてアンロックする時、第二ねじロッド１７が回転してスライドブロック３６を連動させて右へ移動させ、第三ギヤ５２を連動させて第二ギヤ３５と噛み合わせ、この時に第一モータ３７が始動されて回転して第二ギヤ３５を回転連動させ、それによりねじスリーブ３８を移動連動させ、それによりねじロッド４０及びキャリッジ枠体４３を移動連動させ、キャリッジ枠体４３が移動することは貯蔵チャンバ４１の大きさを変えることに便利を与える。
【００２０】
上記の詳しい分析から分かるのは：本発明設備は貯蔵チャンバの大きさを変えることを実現し、それと同時に設備に切符やチケットを収納する装置が設置されているので、切符やチケットの収納に便利を与え、設備は密封ドアを自動的に開けることと閉めることができ、操作がより便利になる。
【００２１】
上記は、本発明の具体的な実施例だけであり、発明の保護範囲はこれに限定されたものではなく、創造的な労働を通じなく想到できる全ての変化又は入れ替わりは、本発明の保護範囲に含む。したがって、発明の保護範囲は請求項に限定された保護範囲を基準とするべきである。
【図１】
2020169011.tif 000003
【図２】
2020169011.tif 000004
【図３】
2020169011.tif 000005
【図４】
2020169011.tif 000006
【図５】
2020169011.tif 000007
【手続補正書】
【提出日】令和1年6月7日(2019.6.7)
【手続補正１】
【補正対象書類名】特許請求の範囲
【補正対象項目名】請求項１
【補正方法】変更
【補正の内容】
【請求項１】
装置主体及び前記装置主体の外でスライドできるように設置されているキャリッジ枠体を含み、前記装置主体の中には上方に開口した貯蔵チャンバが設置されており、前記貯蔵チャンバの底壁の中には上方に開口した切換チャンバが設置されており、前記切換チャンバの左側頂壁の中にはスプラインスリーブが回転できるように設置されており、前記スプラインスリーブの中には上方に開口したスプライン穴が設置されており、前記スプライン穴の中にはスプライン軸がスプラインにより係合連結されており、前記切換チャンバの中にあるスプラインスリーブの外面には第一ギヤが固定的に設置されており、前記切換チャンバの右側頂壁の中にはねじスリーブが回転できるように設置されており、前記ねじスリーブの中には第一ねじ穴が設置されており、前記第一ねじ穴の中には前記キャリッジ枠体と固定的に連結されている第一ねじロッドがねじ山により係合連結されており、前記切換チャンバの中にある前記ねじスリーブの外面には第二ギヤが固定的に設置されており、前記切換チャンバの底壁の中にはスライドチャンバが設置されており、前記スライドチャンバの中には切替装置が設置されており、前記スライドチャンバの下方には外部に連通する連通チャンバが設置されており、前記連通チャンバの左右端壁の中には開口が対向であるガイドスライド溝が設置されており、前記ガイドスライド溝の底壁には第一ラックが固定的に設置されており、前記連通チャンバの中には引き出しがスライドできるように設置されており、前記引き出しの頂壁の中には上方に開口した収納チャンバが設置されており、前記収納チャンバの中には収納装置が設置されており、前記切替装置と前記収納装置とが互いに協働して使用され、設備が便利に貯蔵又は収納することを実現し、貯蔵の大きさを変えら、
前記キャリッジ枠体の頂壁の中には上下に貫通している開き溝が設置されており、前記開き溝の左側端壁の中には右方に開口した伝動チャンバが設置されており、前記伝動チャンバの中には第一回転軸が回転できるように設置されており、前記第一回転軸の外面にはウォームホイール及び密封ドアが固定的に設置されており、前記伝動チャンバの中には前記ウォームホイールと噛み合っているウォームが回転できるように設置されており、前記ウォームが前記スプライン軸と固定的に連結されており、前記ウォームが前記ウォームホイールを回転連動させ、それにより前記密封ドアの開閉を連動させ、
前記切替装置は、前記スライドチャンバの左側端壁の中にあり、且つ前記連通チャンバに連通するロックチャンバを含み、前記スライドチャンバの中にはスライドブロックがスライドできるように設置されており、前記スライドブロックの頂壁の中には第一モータが設置されており、前記第一モータの出力軸の上へ伸びている末端には前記第一ギヤと噛み合う第三ギヤが固定的に設置されており、前記スライドブロックの中には左右に貫通している第二ねじ穴が設置されており、前記第二ねじ穴の中には第二ねじロッドがねじ山により係合連結されており、前記第二ねじロッドの左側末端が前記スライドチャンバの左側端壁の中に固定的に設置されている第二モータと動力が伝達できるように連結されており、前記第二モータの出力軸の左へ伸びている末端には偏心輪が固定的に設置されており、前記第二モータが回転して前記スライドブロックを移動連動させ、それにより動力の切換が実現され、
前記収納装置は前記連通チャンバの左右端壁の中に回転できるように設置されている第二回転軸を含み、前記第二回転軸の前後両側末端が前記連通チャンバの端壁の中に設置されている捻りばねと弾性的に連結されており、前記第二回転軸の外面にはリールが固定的に設置されており、前記リールの外面には前記収納チャンバの左側端壁と固定的に連結されている垂れ布が巻き付いて設置されており、前記収納チャンバの中にはプレス板がスライドできるように設置されており、前記プレス板と前記収納チャンバの底壁との間には押圧ばねが弾性的に設置されており、前記収納チャンバの底壁の中にはカムチャンバが設置されており、前記カムチャンバの中にはスライド板がスライドできるように設置されており、前記スライド板の左側端壁の中には凹溝が設置されており、前記カムチャンバの頂壁の中にはスライド穴が設置されており、前記スライド穴の中には前記スライド板と固定的に連結されているスライドロッドがスライドできるように設置されており、前記カムチャンバの中には前後へ伸びている第三回転軸が回転できるように設置されており、前記カムチャンバの中の前記第三回転軸の外面にはカムが固定的に設置されており、前記第三回転軸の前後両側末端が前記ガイドスライド溝の中に插入されており、且つ前記第三回転軸の前後両側末端には前記第一ラックと噛み合っている第四ギヤが固定的に設置されており、前記引き出しの右側端壁には取っ手が固定的に設置されており、前記カムチャンバの左側端壁の中には第一スライド溝が設置されており、前記第一スライド溝の中には第二ラックがスライドできるように設置されており、前記第二ラックと前記第一スライド溝の端壁との間には復帰装置が弾性的に設置されており、前記引き出しの左側端壁の中には左方に開口した第二スライド溝が設置されており、前記第二スライド溝の中には第三ラックがスライドできるように設置されており、前記第二スライド溝と前記第一スライド溝との間にはギヤチャンバが連通して設置されており、前記ギヤチャンバの中には前記第二ラック及び前記第三ラックと噛み合っている第五ギヤが回転できるように設置されており、前記捻りばねが前記リールを連動させて前記垂れ布を巻く付け、この時に切符やチケットを前記プレス板に置くことを特徴とする大きさを変えられる自動車用収納装置。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
装置主体及び前記装置主体の外でスライドできるように設置されているキャリッジ枠体を含み、前記装置主体の中には上方に開口した貯蔵チャンバが設置されており、前記貯蔵チャンバの底壁の中には上方に開口した切換チャンバが設置されており、前記切換チャンバの左側頂壁の中にはスプラインスリーブが回転できるように設置されており、前記スプラインスリーブの中には上方に開口したスプライン穴が設置されており、前記スプライン穴の中にはスプライン軸がスプラインにより係合連結されており、前記切換チャンバの中にあるスプラインスリーブの外面には第一ギヤが固定的に設置されており、前記切換チャンバの右側頂壁の中にはねじスリーブが回転できるように設置されており、前記ねじスリーブの中には第一ねじ穴が設置されており、前記第一ねじ穴の中には前記キャリッジ枠体と固定的に連結されている第一ねじロッドがねじ山により係合連結されており、前記切換チャンバの中にある前記ねじスリーブの外面には第二ギヤが固定的に設置されており、前記切換チャンバの底壁の中にはスライドチャンバが設置されており、前記スライドチャンバの中には切替装置が設置されており、前記スライドチャンバの下方には外部に連通する連通チャンバが設置されており、前記連通チャンバの左右端壁の中には開口が対向であるガイドスライド溝が設置されており、前記ガイドスライド溝の底壁には第一ラックが固定的に設置されており、前記連通チャンバの中には引き出しがスライドできるように設置されており、前記引き出しの頂壁の中には上方に開口した収納チャンバが設置されており、前記収納チャンバの中には収納装置が設置されており、前記切替装置と前記収納装置とが互いに協働して使用され、設備が便利に貯蔵又は収納することを実現し、貯蔵の大きさを変えら、
前記キャリッジ枠体の頂壁の中には上下に貫通している開き溝が設置されており、前記開き溝の左側端壁の中には右方に開口した伝動チャンバが設置されており、前記伝動チャンバの中には第一回転軸が回転できるように設置されており、前記第一回転軸の外面にはウォームホイール及び密封ドアが固定的に設置されており、前記伝動チャンバの中には前記ウォームホイールと噛み合っているウォームが回転できるように設置されており、前記ウォームが前記スプライン軸と固定的に連結されており、前記ウォームが前記ウォームホイールを回転連動させ、それにより前記密封ドアの開閉を連動させ、
前記切替装置は、前記スライドチャンバの左側端壁の中にあり、且つ前記連通チャンバに連通するロックチャンバを含み、前記スライドチャンバの中にはスライドブロックがスライドできるように設置されており、前記スライドブロックの頂壁の中には第一モータが設置されており、前記第一モータの出力軸の上へ伸びている末端には前記第一ギヤと噛み合う第三ギヤが固定的に設置されており、前記スライドブロックの中には左右に貫通している第二ねじ穴が設置されており、前記第二ねじ穴の中には第二ねじロッドがねじ山により係合連結されており、前記第二ねじロッドの左側末端が前記スライドチャンバの左側端壁の中に固定的に設置されている第二モータと動力が伝達できるように連結されており、前記第二モータの出力軸の左へ伸びている末端には偏心輪が固定的に設置されており、前記第二モータが回転して前記スライドブロックを移動連動させ、それにより動力の切換が実現され、
前記収納装置は前記連通チャンバの左右端壁の中に回転できるように設置されている第二回転軸を含み、前記第二回転軸の前後両側末端が前記連通チャンバの端壁の中に設置されている捻りばねと弾性的に連結されており、前記第二回転軸の外面にはリールが固定的に設置されており、前記リールの外面には前記収納チャンバの左側端壁と固定的に連結されている垂れ布が巻き付いて設置されており、前記収納チャンバの中にはプレス板がスライドできるように設置されており、前記プレス板と前記収納チャンバの底壁との間には押圧ばねが弾性的に設置されており、前記収納チャンバの底壁の中にはカムチャンバが設置されており、前記カムチャンバの中にはスライド板がスライドできるように設置されており、前記スライド板の左側端壁の中には凹溝が設置されており、前記カムチャンバの頂壁の中にはスライド穴が設置されており、前記スライド穴の中には前記スライド板と固定的に連結されているスライドロッドがスライドできるように設置されており、前記カムチャンバの中には前後へ伸びている第三回転軸が回転できるように設置されており、前記カムチャンバの中の前記第三回転軸の外面にはカムが固定的に設置されており、前記第三回転軸の前後両側末端が前記ガイドスライド溝の中に插入されており、且つ前記第三回転軸の前後両側末端には前記第一ラックと噛み合っている第四ギヤが固定的に設置されており、前記引き出しの右側端壁には取っ手が固定的に設置されており、前記カムチャンバの左側端壁の中には第一スライド溝が設置されており、前記第一スライド溝の中には第二ラックがスライドできるように設置されており、前記第二ラックと前記第一スライド溝の端壁との間には復帰装置が弾性的に設置されており、前記引き出しの左側端壁の中には左方に開口した第二スライド溝が設置されており、前記第二スライド溝の中には第三ラックがスライドできるように設置されており、前記第二スライド溝と前記第一スライド溝との間にはギヤチャンバが連通して設置されており、前記ギヤチャンバの中には前記第二ラック及び前記第三ラックと噛み合っている第五ギヤが回転できるように設置されており、前記捻りばねが前記リールを連動させて前記垂れ布を巻く付け、この時に切符やチケットを前記プレス板に置くことを特徴とする大きさを変えられる自動車用収納装置。